(57)【要約】【課題】外部に出力する表示画面に含まれる情報の詳細度合いを変更することが可能な表示制御装置、表示制御方法及びプログラムを提供する。【解決手段】外部に表示画面を出力する出力部と、前記外部に出力する表示画面に含まれるオブジェクトを、現在表示画面に含まれる同オブジェクトの第１の表示態様と情報の詳細度合いにおいて異なる第２の表示態様に変更するよう制御する表示制御部と、を備える、表示制御装置。【選択図】図１
2014120036.tif 000002
【特許請求の範囲】
【請求項１】
外部に表示画面を出力する出力部と、
前記外部に出力する表示画面に含まれるオブジェクトを、現在表示画面に含まれる同オブジェクトの第１の表示態様と情報の詳細度合いにおいて異なる第２の表示態様に変更するよう制御する表示制御部と、
を備える、表示制御装置。
【請求項２】
前記表示制御装置は、
出力先の表示領域の大きさと前記現在表示画面の大きさとを比較する比較部をさらに備え、
前記表示制御部は、比較の結果、前記出力先の表示領域が前記現在表示画面の領域より大きい場合、前記外部に出力する表示画面に含まれるオブジェクトを、前記現在表示画面に含まれる同オブジェクトより情報の詳細度合いが高い前記第２の表示態様に変更する、請求項１に記載の表示制御装置。
【請求項３】
前記第２の表示態様のオブジェクトは、前記現在表示画面に含まれる同オブジェクトの次階層の機能を示す１以上のアイテムの表示を含む１のアイコンで表示される、請求項２に記載の表示制御装置。
【請求項４】
前記第２の表示態様のオブジェクトは、前記現在表示画面に含まれる同オブジェクトの次階層の機能を示す１以上のアイコンで表示される、請求項２に記載の表示制御装置。
【請求項５】
前記表示制御部は、前記外部に出力する表示画面における前記オブジェクトの表示位置を、前記現在表示画面における同オブジェクトの表示位置と対応するよう表示制御する、請求項１に記載の表示制御装置。
【請求項６】
前記表示制御部は、前記外部に出力する表示画面における前記オブジェクトが、前記第１の表示態様から前記第２の表示態様に変化する際の遷移画面を表示するよう制御する、請求項１に記載の表示制御装置。
【請求項７】
前記表示制御部は、複数の前記オブジェクト毎に、前記遷移画面を順次表示するよう制御する、請求項６に記載の表示制御装置。
【請求項８】
前記表示制御部は、前記外部に出力する表示画面における前記オブジェクトの色または形状を、前記現在表示画面における同オブジェクトの色または形状と対応するよう制御する、請求項１に記載の表示制御装置。
【請求項９】
前記表示制御部は、前記外部に出力する表示画面において、ユーザに指定されたアイコンが属するアイコン群を輪郭の強調または動きの同期制御により明示する表示制御を行う、請求項１に記載の表示制御装置。
【請求項１０】
前記表示制御部は、前記外部に出力する表示画面において前記第２の表示態様で表示されるオブジェクトを、ユーザ操作に応じて前記第１の表示態様による表示に戻す表示制御を行う、請求項１に記載の表示制御装置。
【請求項１１】
前記表示制御装置は、
出力先の表示領域の大きさと前記現在表示画面の大きさとを比較する比較部をさらに備え、
前記表示制御部は、比較の結果、前記出力先の表示領域が前記現在表示画面の領域より小さい場合、前記外部に出力する表示画面に含まれるオブジェクトを、前記現在表示画面の対応する同オブジェクトより情報の詳細度合いが低い前記第２の表示態様に変更する、請求項１に記載の表示制御装置。
【請求項１２】
外部に出力する表示画面に含まれるオブジェクトを、現在表示画面に含まれる同オブジェクトの第１の表示態様と情報の詳細度合いにおいて異なる第２の表示態様に変更するステップと、
前記第２の表示態様に変更したオブジェクトを含む表示画面を外部に出力するステップと、
を含む、表示制御方法。
【請求項１３】
コンピュータに、
外部に表示画面を出力する出力部と、
前記外部に出力する表示画面に含まれるオブジェクトを、現在表示画面に含まれる同オブジェクトの第１の表示態様と情報の詳細度合いにおいて異なる第２の表示態様に変更するよう制御する表示制御部と、
として機能させるための、プログラム。
【発明の詳細な説明】
【技術分野】
【０００１】
本開示は、表示制御装置、表示制御方法及びプログラムに関する。
【背景技術】
【０００２】
一般的に、パーソナルコンピュータ（ＰＣ）、タブレット端末、携帯電話、スマートフォン、デジタルカメラ、デジタルビデオカメラ等の情報処理装置における表示画面のレイアウトは、予め設定された基準値に応じて制御される。例えば、メニュー画面や各操作画面に含まれるアイコンの大きさや配置は、予め設定された基準値に応じて所定の大きさで所定の位置に配置される。
【０００３】
ここで、表示領域全体のサイズが変更された場合に、タイトルバー、メニューバー等が大きくなり、メニューバーがウィンドウの横のサイズを超えてしまい、選択できなくなる等の不具合が生じていた。これに対し、下記特許文献１では、プログラム実行中に、ウィンドウ画面変更通知を受け取り、自動的に表示領域を計算し、新しい設定の画面サイズに応じてメニューバーの横方向のサイズやタイトルバーのサイズを見直す更新システムが開示されている。
【先行技術文献】
【特許文献】
【０００４】
【特許文献１】特開２００１−２４２９７６号公報
【発明の概要】
【発明が解決しようとする課題】
【０００５】
しかしながら、上記特許文献１では表示領域全体のサイズ変更に応じてタイトルバーやメニューの表示サイズを最適なサイズに変更する点については言及されているが、表示される情報の量を変更する点には言及されていない。
【０００６】
また、近年、表示機能を有する情報処理装置と外部の表示デバイスを接続し、情報処理装置の表示画面を外部の表示デバイスに出力して利用する形態が見受けられるが、表示先の画面の大きさに合わせて表示サイズを変更するだけでは使い難いことが多かった。
【０００７】
そこで、本開示では、外部に出力する表示画面に含まれる情報の詳細度合いを変更することが可能な、新規かつ改良された表示制御装置、表示制御方法及びプログラムを提案する。
【課題を解決するための手段】
【０００８】
本開示によれば、外部に表示画面を出力する出力部と、前記外部に出力する表示画面に含まれるオブジェクトを、現在表示画面に含まれる同オブジェクトの第１の表示態様と情報の詳細度合いにおいて異なる第２の表示態様に変更するよう制御する表示制御部と、を備える、表示制御装置を提案する。
【０００９】
本開示によれば、外部に出力する表示画面に含まれるオブジェクトを、現在表示画面に含まれる同オブジェクトの第１の表示態様と情報の詳細度合いにおいて異なる第２の表示態様に変更するステップと、前記第２の表示態様に変更したオブジェクトを含む表示画面を外部に出力するステップと、を含む、表示制御方法を提案する。
【００１０】
本開示によれば、コンピュータに、外部に表示画面を出力する出力部と、前記外部に出力する表示画面に含まれるオブジェクトを、現在表示画面に含まれる同オブジェクトの第１の表示態様と情報の詳細度合いにおいて異なる第２の表示態様に変更するよう制御する表示制御部と、として機能させるための、プログラムを提案する。
【発明の効果】
【００１１】
以上説明したように本開示によれば、外部に出力する表示画面に含まれる情報の詳細度合いを変更することが可能となる。
【図面の簡単な説明】
【００１２】
【図１】本開示の一実施形態による表示制御の概要を説明するための図である。
【図２】出力先において表示画面が拡大表示される場合について説明するための図である。
【図３】本実施形態によるデジタルカメラ１の内部構成例を示すブロック図である。
【図４】本実施形態による表示制御処理を示すフローチャートである。
【図５】本実施形態による第１の画面表示例について説明するための遷移図である。
【図６】本実施形態による第２の画面表示例について説明するための遷移図である。
【図７】本実施形態による第３の画面表示例について説明するための図である。
【図８】本実施形態による第４の画面表示例について説明するための図である。
【図９】本実施形態による第５の画面表示例について説明するための図である。
【図１０】本実施形態による第６の画面表示例について説明するための遷移図である。
【図１１】本実施形態による第７の画面表示例について説明するための遷移図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、説明は以下の順序で行うものとする。
１．本開示の一実施形態による表示制御の概要
２．基本構成及び動作処理
２−１．デジタルカメラの構成
２−２．表示制御処理
３．画面表示例
３−１．第１の画面表示例
３−２．第２の画面表示例
３−３．第３の画面表示例
３−４．第４の画面表示例
３−５．第５の画面表示例
３−６．第６の画面表示例
３−７．第７の画面表示例
４．まとめ
【００１５】
＜＜１．本開示の一実施形態による表示制御の概要＞＞
まず、本開示の一実施形態による表示制御の概要について、図１を参照して説明する。
【００１６】
図１は、本開示の一実施形態による表示制御の概要を説明するための図である。図１に示すように、本実施形態によるデジタルカメラ１（表示制御装置）は、表示部１９を有し、表示部１９に例えばメニュー画面３０を表示する。メニュー画面３０は、メニュー項目３１ａ、３１ｂ、３１ｃ、３１ｄ、３１ｅを含み、各々予め設定された大きさで所定の位置に各々配置されている。
【００１７】
デジタルカメラ１は、表示画面を外部の表示デバイスに出力する機能を有する。外部の表示デバイスとは、例えば図１に示すようなタブレット端末２の他、スマートフォン、デジタルビデオカメラ、ノートＰＣ、テレビジョン装置、またはプロジェクタ等である。
【００１８】
ここで、通常、出力元のデジタルカメラ１の表示領域より出力先の表示領域の方が大きい場合、出力先において出力元の表示画面がそのまま拡大表示される。以下、図２を参照して具体的に説明する。
【００１９】
図２は、出力先において表示画面が拡大表示される場合について説明するための図である。図２に示すように、例えばデバイスＡにおいて表示画面１００が表示される場合、表示画面１００に含まれる項目１１０ａ〜１１０ｅの大きさ及び配置は、予めデバイスＡの表示領域に応じてユーザが使いやすいよう設定された大きさ及び配置である。
【００２０】
一方、かかる表示画面１００が、デバイスＡより表示領域が大きいデバイスＢに出力されると、図２に示すように、デバイスＢにおいて表示画面２００として表示画面１００がデバイスＢの表示領域に合わせて拡大表示される。これにより、表示画面２００に含まれる項目２１０ａ〜２１０ｅも拡大表示され、ユーザにとっては項目２１０ａ〜２１０ｅが必要以上に大きく表示されるので使い難く、また、必要以上に大きな項目を表示することは、表示領域の無駄と言える。
【００２１】
以上の事情を鑑みて、本開示による表示制御では、出力先の表示領域に応じて表示画面内に含まれる各オブジェクト（アイコン等）の大きさを調整し、さらに出力先の表示領域の大きさに応じて、より詳細な情報を提示するよう表示変更する。すなわち、図１に示すようなデジタルカメラ１に表示されるメニュー画面３０は、小さな画面でも効果的に表示内容が認識されるよう、画面が階層化され、初期画面は表層のみが表示されている。デジタルカメラ１は、ユーザの選択に応じて次階層を表示していくので、ユーザは、選択を繰り返して目的の機能にたどり着くことができる。
【００２２】
そして、メニュー画面３０が外部の大きな表示領域に出力される場合、当該大きな表示領域を効果的に利用する表示画面に変更することができれば、ＵＩ（ユーザインタフェース）の利便性が飛躍的に向上する。具体的には、本開示による表示制御において、初期画面に含む情報量を増加させるよう表示変更することで、ユーザは、直接またはより少ない選択操作で、意図する機能にたどり着くことができる。
【００２３】
例えば、図１に示すように、デジタルカメラ１は、デジタルカメラ１の表示領域より大きい表示領域を有するタブレット端末２にメニュー画面３０を出力する際、複数階層の機能を含むメニュー画面４５に変更し、初期画面に含む情報量を増加させてもよい。タブレット端末２の表示部２５に表示されるメニュー画面４５は、図１に示すように、アイコン群４６ａ、４６ｃ、４６ｄ、４６ｅを含む。これら各アイコン群４６ａ、４６ｃ、４６ｄ、４６ｅは、メニュー項目３１ａ、３１ｃ、３１ｄ、３１ｅの各次階層の機能である。具体的には、例えばメニュー項目３１ａが「設定変更」の場合、アイコン群４６ａとして「日時設定」「言語設定」「画面の明るさ設定」「システム設定」といった機能が表示される。また、メニュー項目３１ｃが「撮影メニュー」の場合、アイコン群４６ｃとして「ＩＳＯ感度設定」「色空間」「ノイズ低減」「露出」といった機能が表示される。また、メニュー項目３１ｄが「再生メニュー」の場合、アイコン群４６ｄとして「すべて再生」「カレンダー表示」といった機能が表示される。また、メニュー項目３１ｅが「送信メニュー」の場合、アイコン群４６ｅとして「すべて送信」「選択送信」「通信方式設定」といった機能が表示される。なお、表示画面４５に含まれるアイコン４６ｂは、メニュー項目３１ｂの次階層が無い場合に同階層（初期階層）の状態のまま表示される例であって、図１に示すように、アイコンの大きさのみ調整され表示されている。例えば、メニュー項目３１ｂが「ガイド表示」であって、次階層が無い場合も想定される。
【００２４】
このように、タブレット端末２に表示されるメニュー画面４５は、初期画面において複数階層の機能を含み、ユーザは、直接またはより少ない選択操作で意図する機能にたどり着くことができる。
【００２５】
また、メニュー画面４５に含まれるアイコン群４６ａ、４６ｃ、４６ｄ、４６ｅ、及びアイコン４６ｂと、出力元のメニュー画面３０に含まれるメニュー項目３１ａ〜３１ｅとの関連を示すために、本実施形態では各々の表示位置を対応させている。
【００２６】
以上、本開示の一実施形態における表示制御の概要について説明した。続いて、本実施形態による表示制御を実行するデジタルカメラ１（表示制御装置）の構成及び動作処理について順次説明する。なお、図１に示す例では、本実施形態による表示制御装置の一例としてデジタルカメラ１を図示したが、本実施形態による表示制御装置はこれに限定されず、例えばデジタルビデオカメラ、携帯電話、ＰＨＳ（Ｐｅｒｓｏｎａｌ  Ｈａｎｄｙ−ｐｈｏｎｅ  Ｓｙｓｔｅｍ）、スマートフォン、ＰＤＡ（Ｐｅｒｓｏｎａｌ  Ｄｉｇｉｔａｌ  Ａｓｓｉｓｔａｎｔ）、またはノートＰＣ等であってもよい。
【００２７】
＜＜２．基本構成及び動作処理＞＞
＜２−１．デジタルカメラの構成＞
図３は、本実施形態によるデジタルカメラ１の内部構成例を示すブロック図である。図３に示すように、本実施形態によるデジタルカメラ１は、ＣＰＵ（Ｃｅｎｔｒａｌ  Ｐｒｏｃｅｓｓｉｎｇ  Ｕｎｉｔ）１０、ＲＯＭ（Ｒｅａｄ  Ｏｎｌｙ  Ｍｅｍｏｒｙ）１１、ＲＡＭ（Ｒａｎｄｏｍ  Ａｃｃｅｓｓ  Ｍｅｍｏｒｙ）１２、カメラモジュール１３、操作入力部１４、記憶部１５、記憶メディア１６、表示制御部１７、比較部１８、表示部１９、及び外部Ｉ／Ｆ（インターフェース）２０を有する。以下、各構成について具体的に説明する。
【００２８】
（カメラモジュール）
カメラモジュール１３は、撮像素子、撮像レンズを含む撮像光学系、及び撮影画像信号処理部を含み、デジタル信号とされた撮影画像のデータを出力する。なお、撮像素子は、例えばＣＣＤ（Ｃｈａｒｇｅ  Ｃｏｕｐｌｅｄ  Ｄｅｖｉｃｅ）イメージャやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージャにより実現される。
【００２９】
（操作入力部）
操作入力部１４は、ユーザによる操作入力を受け付ける機能を有する。具体的には、操作入力部１４は、例えば電源スイッチ、撮影指示部、及び操作ボタン等である。撮影指示部は、カメラモジュール１３による撮影処理をユーザが指示するためのものであって、例えばシャッターボタンであってもよい。また、操作入力部１４は、表示部１９と一体化された位置検出可能なタッチパネルであってもよい。
【００３０】
（記憶メディア）
記憶メディア１６は、撮影された各記憶データを保持する画像記憶部であって、例えばカード型メモリなどのフラッシュメモリや、ＤＶＤ（Ｄｉｇｉｔａｌ Ｖｅｒｓａｔｉｌｅ Ｄｉｓｃ）などの記録媒体により実現される。記憶メディア１６は、カメラモジュール１３から連続的に出力される撮影画像を、シャッターボタンの操作タイミングに応じて、静止画像データ（写真）として保持してもよいし、動画像データ（ビデオ）として保持してもよい。
【００３１】
（表示制御部）
表示制御部１７は、ＣＰＵ１０の指示に従って、表示部１９に表示する内容を制御する機能を有する。具体的には、表示部１９に所定のメニュー画面や操作画面を表示したり、カメラモジュール１３から出力された撮影画像をリアルタイムに表示したり、億メディア１６に記憶されている画像データ（静止画／動画）を表示（再生）したりする制御を行う。
【００３２】
また、本実施形態による表示制御部１７は、外部Ｉ／Ｆ２０から外部に出力される表示画面を制御することも可能である。この際、表示制御部１７は、外部に出力する表示画面に含まれるメニュー項目やアイコン等の各オブジェクトを、現在表示画面に含まれる同オブジェクトの第１の表示態様と情報の詳細度合いにおいて異なる第２の表示態様に変更するよう制御する。例えば、表示制御部１７は、出力先の表示領域が現在表示画面の領域より大きい場合、外部に出力する表示画面に含まれるオブジェクトを、現在表示画面に含まれる同オブジェクトで示される情報より詳細な情報を示す（詳細度合いが高い）第２の表示態様に変更する。
【００３３】
より具体的には、例えば図１に示すメニュー画面３０が、各オブジェクトが第１の表示態様で表示された現在表示画面であって、メニュー画面４５が、各オブジェクトが第２の表示態様で表示された表示画面である。図１に示すように、出力先であるタブレット端末２の表示領域は、現在表示画面を表示するデジタルカメラ１の表示領域より大きい。したがって、表示制御部１７は、タブレット端末２に出力されるメニュー画面を、詳細な情報を示す第２の表示態様として、複数階層を含む初期画面に変更する制御を行う。
【００３４】
なお、出力先の表示領域が現在表示画面の領域より大きいか否かについては、次に説明する比較部１８から出力される比較結果に基づいて判断される。また、本明細書において、現在表示画面の領域とは、現在、表示制御部１７により表示制御されている表示画面の表示領域であって、例えば現在、外部の一の表示装置に表示画面を出力している場合、当該外部の表示装置の表示領域が相当する。そして、表示（出力）先を外部の他の表示装置やデジタルカメラ１の表示部１９に切り替える際、表示制御部１７は、外部の一の表示装置の表示領域と、上記他の表示装置の表示領域やデジタルカメラ１の表示領域との大きさの比較に基づいて、表示態様の変更を行う。
【００３５】
（比較部）
比較部１８は、表示画面の出力先の表示領域の大きさと、現在表示画面の大きさとを比較する機能を有する。具体的には、比較部１８は、外部Ｉ／Ｆ２０を介して出力先の表示装置から表示領域に関する情報を取得し、出力先の表示領域の大きさと、現在表示画面の大きさとを比較する。
【００３６】
（表示部）
表示部１９は、表示制御部１７の制御により、所定のメニュー画面や操作画面、撮影画像等を表示（再生）する。また、表示部１９は、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）等により実現される。
【００３７】
（外部Ｉ／Ｆ）
外部Ｉ／Ｆ２０は、外部装置にデータを出力する出力部と、外部装置からデータを受け取ってデジタルカメラ１に当該データを入力する入力部との機能を有する。本実施形態による外部Ｉ／Ｆ２０は、外部装置と有線または無線によりデータの入出力が可能である。無線通信としては、例えば無線ＬＡＮ、赤外線、Ｗｉ−Ｆｉ、Ｂｌｕｅｔｏｏｔｈ（登録商標）、または近距離無線通信等の通信方式が用いられる。
【００３８】
（ＣＰＵ）
ＣＰＵ１０は、デジタルカメラ１の各構成を制御する制御部である。なお、上述した表示制御部１７及び比較部１８は、ＣＰＵ１０の具体的な機能としてＣＰＵ１０に含まれてもよい。
【００３９】
（ＲＯＭ、ＲＡＭ）
ＲＯＭ１１には、ＣＰＵ１０が各処理を遂行するためのプログラム等が記憶されている。また、ＲＡＭ１２は、ＣＰＵ１０がＲＯＭ１１に記憶されているプログラムを実行する際に、ワークエリアとして用いられる。
【００４０】
以上、本実施形態によるデジタルカメラ１の構成について詳細に説明した。続いて、本実施形態によるデジタルカメラ１の動作処理について図４を参照して説明する。
【００４１】
＜２−１．動作処理＞
図４は、本実施形態による表示制御処理を示すフローチャートである。図４に示すように、まず、ステップＳ１０３において、デジタルカメラ１の表示制御部１７は、ＣＰＵ１０の指示に応じて、表示部１９へ画像出力を開始する。例えば、表示制御部１７は、デジタルカメラ１の電源スイッチがＯＮになった場合、図１に示すように、表示部１９にメニュー画面３０を表示する。
【００４２】
次に、ステップＳ１０６において、デジタルカメラ１のＣＰＵ１０は、画像出力状態に変更が発生したか否かを検知する。画像出力状態の変更とは、具体的には画像の出力先（表示先）の変更である。ＣＰＵ１０は、例えばユーザ操作により出力先の変更が指示された場合や、外部Ｉ／Ｆ２０が外部の表示装置に接続された場合等に、画像の出力先の変更を検知する。
【００４３】
次いで、画像出力状態の変更が発生した場合（Ｓ１０６／Ｙｅｓ）、ステップＳ１０９において、ＣＰＵ１０は、出力先を確認する。具体的には、ＣＰＵ１０は、画像の出力先に対して情報要求を行い、出力先に関する情報を取得する。そしてＣＰＵ１０は、出力先の表示領域の大きさに関する情報を比較部１８に出力する。なお、出力先に関する情報が出力先から取得できない場合、ＣＰＵ１０は、ユーザに対して出力先に関する情報の入力を要求し、所望の情報を取得してもよい。
【００４４】
次に、ステップＳ１１２において、比較部１９は、現在表示画面の領域の大きさと、出力先の表示領域の大きさとを比較し、比較結果を表示制御部１７に出力する。そして、表示制御部１７は、比較結果に基づいて、出力される表示画面に含まれる各オブジェクトの表示態様を変更する制御を行う。以下、ステップＳ１２５〜Ｓ１４２において具体的に説明する。
【００４５】
まず、現在表示画面の領域より出力先の表示領域の方が大きい場合（Ｓ１１２／Ｙｅｓ）、ステップＳ１２５において、表示制御部１７は、出力先の表示領域が、中サイズか大サイズかを判断する。中サイズか大サイズかは、予め設定された中サイズ（例えば第１の閾値〜第２の閾値の間のサイズ）、大サイズ（例えば第２の閾値を上回るサイズ）のいずれに該当するかで判断されてもよい。
【００４６】
次いで、大サイズの場合（Ｓ１２５／大）、ステップＳ１２８において、表示制御部１７は、出力される表示画面に含まれる各オブジェクトを、大画面用のレイアウトに変更、すなわち、大画面用の表示態様に変更する。この際、表示制御部１７は、出力先において、表示画面に含まれる各オブジェクトの表示態様の変化を表す遷移画面（アニメーション）を表示するよう制御してもよい。遷移画面が表示されることで、ユーザは、現在表示画面に含まれる各オブジェクトと、変更後の大画面に含まれる各オブジェクトとの関連を直感的に把握することができる。このような表示制御部１７による遷移画面の表示や、変更後の表示態様については、後述の「３．画面表示例」において、具体例を挙げて説明する。
【００４７】
次に、中サイズの場合（Ｓ１２５／中）、ステップＳ１３１において、表示制御部１７は、出力される表示画面に含まれる各オブジェクトを、中画面用のレイアウトに変更、すなわち、中画面用の表示態様に変更する。この際、表示制御部１７は、出力先において、表示画面に含まれる各オブジェクトの表示態様の変化を表す遷移画面（アニメーション）を表示するよう制御してもよい。
【００４８】
一方、現在表示画面の領域より出力先の表示領域の方が大きくない場合（Ｓ１１２／Ｎｏ）、ステップＳ１３６において、表示制御部１７は、出力先の表示領域が、現在表示画面と同サイズか小サイズかを判断する。小サイズか否かは、予め設定された小サイズ（例えば第１の閾値を下回るサイズ）に該当するか否かで判断されてもよい。
【００４９】
次いで、小サイズの場合（Ｓ１３６／小）、ステップＳ１３９において、表示制御部１７は、出力される表示画面に含まれる各オブジェクトを、小画面用のレイアウトに変更、すなわち、小画面用の表示態様に変更する。この際、表示制御部１７は、出力先において、表示画面に含まれる各オブジェクトの表示態様の変化を表す遷移画面（アニメーション）を表示するよう制御してもよい。
【００５０】
次に、同サイズの場合（Ｓ１３６／同）、ステップＳ１４２において、表示制御部１７は、出力される表示画面に含まれる各オブジェクトを、現在表示画面と同じレイアウト、すなわち、各オブジェクトの表示態様は変更しないよう制御する。
【００５１】
そして、ステップＳ１４５において、画像出力の終了指示があるまで、上記Ｓ１０６〜Ｓ１４２が繰り返される。
【００５２】
以上、本実施形態による表示制御処理について具体的に説明した。続いて、上述した表示制御部１７による遷移画面の表示や、表示画面に含まれる各オブジェクトの表示態様の変更について、複数の具体例を挙げて詳細に説明する。なお、以下に説明する具体例は、いずれも現在表示画面の領域よりも出力先表示領域の方が大きい場合（上記Ｓ１１２／Ｙｅｓ）における表示制御例である。
【００５３】
＜＜３．画面表示例＞＞
＜３−１．第１の画面表示例＞
本画面表示例では、現在表示画面の領域よりも出力先表示領域の方が大きい場合を想定し、表示制御部１７は、複数階層の機能を初期画面に含む表示態様に変更することで初期画面の情報量を増加させる。また、表示制御部１７は、出力先表示領域が中サイズか大サイズかに応じて、情報の増加量を制御してもよい。これにより、大きい表示領域に表示画面が出力される際、より多くの機能が初期画面に含まれる表示態様に変更、すなわちメニュー機能を示すアイコン（項目）の数が増加するので、ユーザは直接またはより少ない選択操作で意図する機能にたどり着くことができる。
【００５４】
さらに、表示制御部１７は、ユーザが混乱しないよう、現在表示画面に含まれる各アイコンと変更後の表示画面に含まれる各アイコンとの関連を示すための表示制御を行ってもよい。
【００５５】
例えば、図１に示すように、デジタルカメラ１の表示部１９に表示されるメニュー画面３０がタブレット端末２に出力されると、メニュー画面３０はメニュー画面４５に変更され、アイコンの数が増加する。メニュー画面４５のアイコン群４６ａは、メニュー画面３０のメニュー項目３１ａの次階層の機能であって、また、メニュー画面４５のアイコン群４６ｃは、メニュー画面３０のメニュー項目３１ｃの次階層の機能である。このような変更前後の各アイコンの関連は、変更後のアイコン群の画面内における相対的な表示位置を変更前のメニュー項目の表示位置に対応させることで示すことが可能であるが、本実施形態ではさらに画面変化の経過を示すアニメーションで示してもよい。以下、画面変化の経過を示すアニメーションを表示する場合について図５を参照して具体的に説明する。
【００５６】
図５は、本実施形態による第１の画面表示例について説明するための遷移図である。図５に示すように、表示制御部１７は、まず、出力先の表示領域であるタブレット端末２の表示部２５に、表示画面４２を表示するよう制御する。表示画面４２は、現在表示画面であるデジタルカメラ１のメニュー画面３０（図１参照）が拡大表示されたものである。
【００５７】
次いで、表示制御部１７は、図５の表示画面４４に示すように、各メニュー項目４３ａ〜４３ｅの表示を徐々に薄くしてフェードアウトさせると共に、新たなメニュー機能を示すアイコンを徐々に出現させるアニメーションを表示する。新たなアイコンは、各メニュー項目４３ａ〜４３ｅの次階層の機能を示すものである。なお、次階層がないメニュー項目（例えばメニュー項目４３ｂ）については、図５の表示画面４４に示すように、当該メニュー項目の大きさが調整されて、他の新たなアイコンと同様の大きさのアイコンで表示される。
【００５８】
そして、表示制御部１７は、図５に示すように、新たに出現したアイコン群４６ａ、４６ｃ、４６ｄ、４６ｅ、及びアイコン４６ｂを含むメニュー画面（表示画面）４５を表示させる。
【００５９】
このように、本実施形態では、表示態様の変更による画面の変化をアニメーションで示すことで、変更後の画面に含まれる増加したアイコンがどのメニュー項目と関連するものであるのかを示すことができる。
【００６０】
＜３−２．第２の画面表示例＞
上述した第１の画面表示例では、各メニュー項目４３ａ〜４３ｅが同時にフェードアウトし、各メニュー項目の次階層の機能を示すアイコンが同時に出現するアニメーションを示したが、本実施形態による画面の変化を表すアニメーションはこれに限定されない。例えば、本実施形態による表示制御部１７は、各メニュー項目４３ａ〜４３ｅが順次フェードアウトして次階層の機能を示すアイコンが出現するアニメーションを示してもよい。以下、メニュー項目４３ａ〜４３ｅが順次変化する様子を表すアニメーションについて図６を参照して具体的に説明する。
【００６１】
図６は、本実施形態による第２の画面表示例について説明するための遷移図である。図６に示すように、表示制御部１７は、出力先の表示領域であるタブレット端末２の表示部２５に表示させた表示画面に含まれる各メニュー項目の表示態様を順次変化させていく。より具体的には、例えば表示制御部１７は、まず表示画面４７に含まれるメニュー項目４３ａをフェードアウトし、メニュー項目４３ａの次階層の機能を示すアイコン群４６ａを出現させるよう表示制御する。
【００６２】
次いで、表示制御部１７は、図６の表示画面４８に示すように、メニュー項目４３ｂの表示態様を変化させる。ここでメニュー項目４３ｂは次階層がない項目であるので、表示制御部１７は、当該メニュー項目の大きさを調整し、他の新たに出現するアイコンと同様の大きさのアイコン４６ｂに変更するよう制御する。
【００６３】
次に、表示制御部１７は、図６の表示画面４９に示すように、メニュー項目４３ｃをフェードアウトし、メニュー項目４３ｃの次階層の機能を示すアイコン群４６ｃを出現させるよう表示制御する。続いて、表示制御部１７は、同様にメニュー項目４３ｄの表示態様も変更する。
【００６４】
そして、最後に、表示制御部１７は、図６の表示画面５０に示すように、メニュー項目４３ｅをフェードアウトし、メニュー項目４３ｅの次階層の機能を示すアイコン群４６ｅを出現させるよう表示制御する。
【００６５】
このように、本実施形態では、順次メニュー項目の表示態様を変化させていくことで、変更後の画面に含まれる増加したアイコンがどのメニュー項目と関連するものであるのかをより明確に示すことができる。
【００６６】
＜３−３．第３の画面表示例＞
以上説明した第１、第２の画面表示例では、画面変化の経過を示すアニメーションを表示することで、変更後の画面に含まれる増加したアイコンがどのメニュー項目と関連するのかを示しているが、本実施形態による関連性の明示方法はこれに限定されない。例えば、本実施形態では、変更後の画面に含まれる増加したアイコンと、変更前のメニュー項目との関連をオブジェクトの形の統一で明示してもよい。以下、図７を参照して具体的に説明する。
【００６７】
図７は、本実施形態による第３の画面表示例について説明するための図である。図７に示すように、デジタルカメラ１側で表示されているメニュー画面３３（現在表示画面）に含まれるメニュー項目３４ａ〜３４ｅは、各々異なる形状で示されている。この場合、表示制御部１７は、当該メニュー画面３３をタブレット端末２側に出力する際、各メニュー項目３４の表示態様を、各メニュー項目３４の次階層の機能を示すアイコンであって、かつ、関連する各メニュー項目３４と同様の形状を有するアイコンに変更する。
【００６８】
したがって、タブレット端末２側では、図７に示すように、メニュー画面５１において、各々関連する各メニュー項目３４ａ〜３４ｅと同様の形状で示されるアイコン群５２ａ、５２ｃ、５２ｄ、５２ｅ、及びアイコン５２ｂが示される。
【００６９】
このように、本実施形態では、変更後の画面に含まれる増加したアイコンと変更前のメニュー項目との関連を、オブジェクトの形を統一することで明示することができる。
【００７０】
＜３−４．第４の画面表示例＞
上記第３の画面表示例では、変更後の画面に含まれる増加したアイコンと、変更前のメニュー項目との関連をオブジェクトの形の統一で明示したが、本実施形態はこれに限定されず、例えばオブジェクトの色の統一で明示してもよい。以下、図８を参照して具体的に説明する。
【００７１】
図８は、本実施形態による第４の画面表示例について説明するための図である。図８に示すように、デジタルカメラ１側で表示されているメニュー画面３６（現在表示画面）に含まれるメニュー項目３７ａ〜３７ｅは、各々異なる色で示されている。この場合、表示制御部１７は、当該メニュー画面３６をタブレット端末２側に出力する際、各メニュー項目３７の表示態様を、各メニュー項目３７の次階層の機能を示すアイコンであって、かつ、関連する各メニュー項目３７と同様の形状を有するアイコンに変更する。
【００７２】
したがって、タブレット端末２側では、図８に示すように、メニュー画面５４において、各々関連する各メニュー項目３７ａ〜３７ｅと同様の形状で示されるアイコン群５５ａ、５５ｃ、５５ｄ、５５ｅ、及びアイコン５５ｂが示される。
【００７３】
このように、本実施形態では、変更後の画面に含まれる増加したアイコンと変更前のメニュー項目との関連を、オブジェクトの色を統一することで明示することができる。なお、本実施形態では、色の統一の他、模様の統一により関連性を明示してもよい。
【００７４】
＜３−５．第５の画面表示例＞
上述した第１〜第４の画面表示例では、現在表示画面の領域よりも出力先表示領域の方が大きい場合、複数階層の機能を初期画面に含む表示態様に変更、すなわちメニュー機能を示すアイコン（メニュー項目）の数を増やすことで初期画面の情報量を増加させていた。しかしながら、本実施形態による初期画面の情報量を増加させる方法は、上述したようなアイコンの数を増やす方法に限定されない。
【００７５】
例えば、画面に表示される各メニュー項目（アイコン）の画像を、次階層の機能を示すアイテムの表示を含む画像に変更してもよい。このように、各アイコンの画像に次階層の機能の表示を含むことで、アイコンの数を変更せずとも情報の詳細度合いを高めることができ、ユーザは、どのメニュー項目を選択すれば意図する機能にたどり着くことができるのか容易に把握することができる。以下、図９を参照して具体的に説明する。
【００７６】
図９は、本実施形態による第５の画面表示例について説明するための図である。図９に示すように、デジタルカメラ１側で表示されているメニュー画面３０（現在表示画面）を、タブレット端末２側に出力する際、表示制御部１７は、各メニュー項目３１ａ〜３１ｅの表示態様を、より詳細な情報を示す（より情報量が多い）表示態様に変更する。具体的には、図９のメニュー画面５７に示すように、次階層の機能を示すアイテムの表示５９ａ、５９ｃ、５９ｄ、５９ｅを各々含むアイコン５８ａ、５８ａ、５８ｃ、５８ｄ、５８ｅの表示態様に変更する。
【００７７】
このように、本実施形態では、変更後の画面に含まれるアイコンの数は変更前と変化しないが、アイコンの表示態様を次階層の機能を示すアイテムの表示を含む表示態様に変更することで、より詳細な情報を示すことができる。また、各アイコンと、各アイコンを選択した場合に表示される次階層の表示画面で選択可能な機能を明示することで、ユーザは、どのアイコンを選択すれば意図する機能にたどり着くことができるのか容易に把握することができる。
【００７８】
＜３−６．第６の画面表示例＞
上述した第１の画面表示例では、図５に示すように、情報の詳細度合いが高い表示態様に変更されたアイコン群４６ａ等は、関連する変更前のメニュー項目４３ａ等の表示位置とそれぞれ対応する位置に配置されている。これにより、ユーザは、変更後のアイコン群と変更前のメニュー項目との関連を直感的に把握することができる。しかしながら、変更後のメニュー画面に含まれるアイコンが多い場合、どのアイコンがどの位置に配置されたアイコン群に属するのか不明瞭になってしまう。そこで、本実施形態では、ユーザ操作に応じて、指定されたアイコンが属するアイコン群の配置位置を示す表示制御を行うことで、変更後のアイコン群と変更前のメニュー項目との関連を明示することができる。以下、図１０を参照して具体的に説明する。
【００７９】
図１０は、本実施形態による第６の画面表示例について説明するための遷移図である。図１０に示すように、デジタルカメラ１からタブレット端末２に出力されたメニュー画面６０は、情報の詳細度合いが高い表示態様に変更されており、アイコン群６１ａ、６１ｃ、６１ｄ、６１ｅ及びアイコン６１ｂを含んでいる。また、各アイコン群６１ａ等は、図１０に示すように、輪郭がぼかし処理されている。
【００８０】
ここで、メニュー画面６０に含まれるアイコン６１０が、アイコン群６１ａとアイコン群６１ｃのいずれのアイコン群に属するかが明確ではない。この場合、ユーザは、デジタルカメラ１の操作入力部１４を操作し、メニュー画面上に表示されるカーソル（不図示）をアイコン６１０に移動させる。かかるユーザ操作に応じて、表示制御部１７は、図１０のメニュー画面６３に示すように、アイコン６１０が属するアイコン群６１ｃの輪郭を強調するよう表示制御する。これにより、ユーザは、アイコン６１０が画面下中央に配置されたアイコン群６１ｃに属することが分かり、また、変更前の画面下中央に配置されていたメニュー項目（例えば図１のメニュー項目３１ｃ）と関連するものであることを把握することができる。
【００８１】
このように、本実施形態では、変更後の画面に含まれる各アイコン群６１ａ等の輪郭をぼかして表示し、ユーザに指定されたアイコンが属するアイコン群の輪郭を強調表示することで、どのアイコンがどのアイコン群に属するかを明示することができる。なお、図１０に示す例では、ぼかし及び輪郭強調を用いて、どのアイコンがどのアイコン群に属するかを明示しているが、本実施形態による明示方法はこれに限定されない。例えば、表示制御部１７は、指定されたアイコンが属するアイコン群のみを揺らすなど、アイコン群を動かすよう表示制御することで明示してもよい。
【００８２】
＜３−７．第７の画面表示例＞
上述した第１、第２の画面表示例では、表示画面が出力される際に、画面変化の経過を示すアニメーションが表示されるが、本実施形態によるアニメーション表示のタイミングはこれに限定されず、例えばユーザ操作をトリガとして表示してもよい。以下、図１１を参照して具体的に説明する。
【００８３】
図１１は、本実施形態による第７の画面表示例について説明するための遷移図である。図１１に示すように、例えばタブレット端末２に出力され、情報の詳細度合いが高い表示態様に変更されたメニュー画面６５には、アイコン群４６ａ、４６ｃ、４６ｄ、４６ｅ、及びアイコン４６ｂに加えて、結合ボタン６６が含まれる。
【００８４】
ユーザ操作により結合ボタン６６が選択されると、表示制御部１７は、メニュー画面６５に含まれる各オブジェクト（アイコン群４６ａ等）の表示態様を情報の詳細度合いが低い表示態様に戻す際の画面変化の経過を示すアニメーションを表示する。具体的には、表示制御部１７は、図１１のメニュー画面６８に示すように、アイコン群４６ａ、４６ｃ、４６ｄ、４６ｅを徐々に小さくすると共に、メニュー項目４３ａ、４３ｃ、４３ｄ、４３ｅをフェードインさせる。メニュー項目４３ａ、４３ｃ、４３ｄ、４３ｅは、それぞれアイコン群４６ａ、４６ｃ、４６ｄ、４６ｅの上層の機能を示すものである。なお、アイコン４６ｂは単層であるので、表示制御部１７は、アイコン４６ｂの大きさを調整し、他のメニュー項目４３ａ等と同様の大きさに変化させる。以下、このように大きさを変化させたアイコン４６ｂをメニュー項目４３ｂと称す。
【００８５】
そして、図１１に示すように、画面変化の経過を示すアニメーション（メニュー画面６５）が表示された後、情報の詳細度合いが低い（アイコン数が少ない）表示態様に変更されたメニュー画面７０が表示される。
【００８６】
このように、ユーザ操作をトリガとして、画面変化の経過を示すアニメーションを表示し、元の表示態様に戻すことで、増加したアイコンがどのメニュー項目と関連するものであるのかを明確に示すことができる。
【００８７】
なお、図１１に示すように、メニュー画面７０には、メニュー項目４３ａ、４３ｂ、４３ｃ、４３ｄ、４３ｅに加えて、分解ボタン７１が含まれる。分解ボタン７１は、情報の詳細度合いが高い表示態様であるメニュー画面６５に戻すための操作ボタンである。
【００８８】
表示制御部１７は、ユーザ操作により分解ボタン７１が選択されると、メニュー画面７０に含まれる各オブジェクト（メニュー項目４３ａ〜４３ｅ）の表示態様を情報の詳細度合いが高い表示態様に変更する際の画面変化の経過を示すアニメーションを表示する。具体的には、表示制御部１７は、図１１のメニュー画面７２に示すように、各メニュー項目４３ａ〜４３ｅの表示を徐々に薄くしてフェードアウトさせると共に、アイコン群４６ａ、４６ｃ、４６ｄ、４６ｅ及びアイコン４６ｂを徐々に出現させるアニメーションを表示する。
【００８９】
このように、表示制御部１７は、情報の詳細度合いが低い表示態様に戻した表示画面を、ユーザ操作をトリガとして、情報の詳細度合いが高い表示態様に再び変更することも可能である。また、この際も、画面変化の経過を表すアニメーションが表示されることで、ユーザは、表示態様変更前の各メニュー項目と、変更後の増加したアイコンとの関連を直感的に把握することができる。
【００９０】
（補足）
以上、本実施形態による画面表示例について、第１〜第７の画面表示例を用いて具体的に説明した。なお、本実施形態による画面表示例は、上述した各画面表示例を適宜組み合わせたものであってもよい。
【００９１】
例えば、表示制御部１７は、第１または第２の表示画面例で説明した画面変化の経過を表すアニメーションの表示を、第３〜第６の表示画面例においてタブレット端末２側に画面出力する際に適用してもよい。また、第３及び第４の表示画面例を組み合わせて、変更後の画面に含まれる増加したアイコンと変更前のメニュー項目との関連を、オブジェクトの形及び色を統一することで明示してもよい。
【００９２】
＜＜４．まとめ＞＞
上述したように、本実施形態による表示制御では、出力先の表示領域に応じて、出力する表示画面に含まれる各オブジェクトを、現在表示画面に含まれる各オブジェクトの表示態様と情報の詳細度合いにおいて異なる表示態様に変更する。具体的には、例えば出力先の表示領域が現在表示画面の表示領域より大きい場合、出力する表示画面に含まれる各オブジェクトを、情報の詳細度合いが高い表示態様に変更することで、大きい表示領域をより効果的に利用することができる。情報の詳細度合いが高い表示態様とは、１のアイコン（メニュー項目）を次階層の機能を示す複数のアイコンに分解してアイコン数を増加させる態様であってもよい。また、情報の詳細度合いが高い表示態様とは、１のアイコン（メニュー項目）を次階層の機能を示す複数のアイテムの表示を含む１のアイコンに変更し、アイコン数は増減させない表示態様であってもよい。
【００９３】
また、本実施形態では、表示態様の変更による画面の変化をアニメーションで示すことで、表示態様変更後に増加したアイコンが、表示態様変更前のどのメニュー項目と関連するものであるのかを明示することも可能である。
【００９４】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９５】
なお、本技術は以下のような構成も取ることができる。
（１）
外部に表示画面を出力する出力部と、
前記外部に出力する表示画面に含まれるオブジェクトを、現在表示画面に含まれる同オブジェクトの第１の表示態様と情報の詳細度合いにおいて異なる第２の表示態様に変更するよう制御する表示制御部と、
を備える、表示制御装置。
（２）
前記表示制御装置は、
出力先の表示領域の大きさと前記現在表示画面の大きさとを比較する比較部をさらに備え、
前記表示制御部は、比較の結果、前記出力先の表示領域が前記現在表示画面の領域より大きい場合、前記外部に出力する表示画面に含まれるオブジェクトを、前記現在表示画面に含まれる同オブジェクトより情報の詳細度合いが高い前記第２の表示態様に変更する、前記（１）に記載の表示制御装置。
（３）
前記第２の表示態様のオブジェクトは、前記現在表示画面に含まれる同オブジェクトの次階層の機能を示す１以上のアイテムの表示を含む１のアイコンで表示される、前記（２）に記載の表示制御装置。
（４）
前記第２の表示態様のオブジェクトは、前記現在表示画面に含まれる同オブジェクトの次階層の機能を示す１以上のアイコンで表示される、前記（２）に記載の表示制御装置。
（５）
前記表示制御部は、前記外部に出力する表示画面における前記オブジェクトの表示位置を、前記現在表示画面における同オブジェクトの表示位置と対応するよう表示制御する、前記（１）〜（４）のいずれか１項に記載の表示制御装置。
（６）
前記表示制御部は、前記外部に出力する表示画面における前記オブジェクトが、前記第１の表示態様から前記第２の表示態様に変化する際の遷移画面を表示するよう制御する、前記（１）〜（５）のいずれか１項に記載の表示制御装置。
（７）
前記表示制御部は、複数の前記オブジェクト毎に、前記遷移画面を順次表示するよう制御する、前記（６）に記載の表示制御装置。
（８）
前記表示制御部は、前記外部に出力する表示画面における前記オブジェクトの色または形状を、前記現在表示画面における同オブジェクトの色または形状と対応するよう制御する、前記（１）〜（７）のいずれか１項に記載の表示制御装置。
（９）
前記表示制御部は、前記外部に出力する表示画面において、ユーザに指定されたアイコンが属するアイコン群を輪郭の強調または動きの同期制御により明示する表示制御を行う、前記（１）〜（８）のいずれか１項に記載の表示制御装置。
（１０）
前記表示制御部は、前記外部に出力する表示画面において前記第２の表示態様で表示されるオブジェクトを、ユーザ操作に応じて前記第１の表示態様による表示に戻す表示制御を行う、前記（１）〜（９）のいずれか１項に記載の表示制御装置。
（１１）
前記表示制御装置は、
出力先の表示領域の大きさと前記現在表示画面の大きさとを比較する比較部をさらに備え、
前記表示制御部は、比較の結果、前記出力先の表示領域が前記現在表示画面の領域より小さい場合、前記外部に出力する表示画面に含まれるオブジェクトを、前記現在表示画面の対応する同オブジェクトより情報の詳細度合いが低い前記第２の表示態様に変更する、前記（１）に記載の表示制御装置。
（１２）
外部に出力する表示画面に含まれるオブジェクトを、現在表示画面に含まれる同オブジェクトの第１の表示態様と情報の詳細度合いにおいて異なる第２の表示態様に変更するステップと、
前記第２の表示態様に変更したオブジェクトを含む表示画面を外部に出力するステップと、
を含む、表示制御方法。
（１３）
コンピュータに、
外部に表示画面を出力する出力部と、
前記外部に出力する表示画面に含まれるオブジェクトを、現在表示画面に含まれる同オブジェクトの第１の表示態様と情報の詳細度合いにおいて異なる第２の表示態様に変更するよう制御する表示制御部と、
として機能させるための、プログラム。
【符号の説明】
【００９６】
１    デジタルカメラ
１０    ＣＰＵ
１１    ＲＯＭ
１２    ＲＡＭ
１３    カメラモジュール
１４    操作入力部
１６    記憶メディア
１７    表示制御部
１８    比較部
１９    表示部
２０    外部Ｉ／Ｆ
２    タブレット端末
２５    表示部
３０、３３、３６、４５、５１、５４、５７、６５、６８、７０、７２    メニュー画面
３１ａ〜３１ｅ、３４ａ〜３４ｅ、３７ａ〜３７ｅ、４３ａ〜４３ｅ    メニュー項目
４６ａ、４６ｃ〜４６ｅ、５２ａ、５２ｃ〜５２ｅ、５５ａ、５５ｃ〜５５ｅ、６１ａ、６１ｃ〜６１ｅ    アイコン群
４６ｂ、５２ｂ、５５ｂ、５８ａ〜５８ｅ、６１ｂ、６１０    アイコン
６８    統合ボタン
７１    分解ボタン
【図１】
2014120036.tif 000003
【図２】
2014120036.tif 000004
【図３】
2014120036.tif 000005
【図４】
2014120036.tif 000006
【図５】
2014120036.tif 000007
【図６】
2014120036.tif 000008
【図７】
2014120036.tif 000009
【図８】
2014120036.tif 000010
【図９】
2014120036.tif 000011
【図１０】
2014120036.tif 000012
【図１１】
2014120036.tif 000013